(57)【要約】【課題】床板材を確実かつ強固に設置でき、容易に床板材の高さを調整することができ、しかも見栄え良く床板材を敷設することのできる床板材の高さ調整具を提供する。【解決手段】床板材１の高さ調整具３１は、地盤Ｇと、下端部にレール部１５を有する根太１３との間に設けられて、レール部１５に係止されて根太１３上に複数並設された床板材１の高さを調整するものであり、地盤Ｇ上に設けられる下板３２と、該下板３２上に立設されてレール部１５内から根太１３の上面に貫通する束部３３と、該束部３３が回転することにより束部３３に対して上下に移動可能に設けられてレール部１５に係止される可動板３４とを備えている。【選択図】図３
2005282224.tif 000002
【特許請求の範囲】
【請求項１】
設置面の上方に、水平方向に沿って延在し、下端部がそれぞれ内側に屈曲してなるレール部を有する支持部上に、複数の床板材がその長手方向を前記支持部に対して直交する方向に配置して並設されており、前記設置面と前記支持部との間に設けられて前記レール部に係止されて前記床板材の高さ調整を行う床板材の高さ調整具であって、
前記設置面上に設けられる下板と、該下板上に立設されて前記レール部内から前記支持部の上面に貫通する束部と、該束部が回転することにより束部に対して上下に移動可能に設けられて前記レール部に係止される可動板とを備えていることを特徴とする床板材の高さ調整具。
【請求項２】
請求項１に記載の床板材の高さ調整具において、
前記束部の上端面には、該束部を回転させるための工具が係合する係合穴が形成されていることを特徴とする床板材の高さ調整具。
【請求項３】
請求項１又は２に記載の床板材の高さ調整具において、
前記可動板の上面には、弾性部材が設けられていることを特徴とする床板材の高さ調整具。
【請求項４】
請求項１〜３のいずれか一項に記載の床板材の高さ調整具において、
前記下板の下面には、弾性部材が設けられていることを特徴とする床板材の高さ調整具。
【請求項５】
請求項１〜４のいずれか一項に記載の床板材の高さ調整具において、
前記レール部内から前記支持部の上面に貫通する束部の周囲に粘着材が設けられることを特徴とする床板材の高さ調整具。
【発明の詳細な説明】
【技術分野】
【０００１】
本発明は、設置面の上方に設けられ下端部にレール部を有する支持部上で支持される複数の床板材の高さを調整する高さ調整具に関する。
【背景技術】
【０００２】
近年、住宅のバルコニーや公園等に木製等の屋外デッキが設けられることが多くなっている。このような屋外デッキとして、例えば、コンクリート床に床パネル等の床板材をべた置きすることにより床面を構成することがあるが、この場合、コンクリート床との接地面に木の葉等のゴミが溜まり易く、また、排水性の面から床板材が腐食し易いという問題があった。また、地盤に所定間隔をあけて立設された束にお引きや根太等を架設し、このお引きや根太等の上部に、その延在方向と直交するように床板材を並べて敷設する場合もある。
また、このようなデッキの構造に関して床面の高さを調整することによって、接地面にゴミが溜まることなく、排水性に優れた構造とすることが知られている。具体的には、床面の高さを調整するために、床板材の下面に床高調整部材を碁盤目状に設置している。この床高調整部材は、平面視矩形の上板と、伸縮自在の伸縮体と、スタンド部とで構成されており、伸縮体に設けられたナット形状部を回転させることにより伸縮体が伸縮するようになっている。そして、床高調整部材の上板の上面にビス等によって床板材が固定され、伸縮体の伸縮により高さが調整されている（例えば、特許文献１参照）。
【特許文献１】特開２００３−４１６５１号公報
【発明の開示】
【発明が解決しようとする課題】
【０００３】
しかしながら、上記特許文献１に記載の技術において、複数の床板材は碁盤目状に設置された複数の床高調整部材により直接支持されており、床高調整部材は所定間隔に設置されている。そのため、複数の床板材がその長手方向と直交する方向において一体となって支持されておらず床高調整部材によって支持される面積が少なく、複数の床板材を一体となるように支持することで確実かつ強固に設置することが求められている。
しかも、床板材と床高調整部材とは床板材の上面から単にビス等を打ち込むことにより固定しているので、床板材と床高調整部材との固定が不安定であるとともにビス等が床板材の上面から見えて外観上好ましくないという問題もあった。
本発明は、上記事情に鑑みてなされたもので、床板材を確実かつ強固に設置でき、容易に床板材の高さを調整することができ、しかも見栄え良く床板材を敷設することのできる床板材の高さ調整具を提供することを目的としている。
【課題を解決するための手段】
【０００４】
上記課題を解決するため、請求項１の発明は、例えば、図１〜図４に示すように、設置面（例えば、地盤Ｇ）の上方に、水平方向に沿って延在し、下端部がそれぞれ内側に屈曲してなるレール部１５を有する支持部（例えば、根太１３）上に、複数の床板材１がその長手方向を前記支持部１３に対して直交する方向に配置して並設されており、前記設置面Ｇと前記支持部１３との間に設けられて前記レール部１５に係止されて前記床板材１の高さ調整を行う床板材１の高さ調整具３１であって、
前記設置面Ｇ上に設けられる下板３２と、該下板３２上に立設されて前記レール部１５内から前記支持部１３の上面に貫通する束部３３と、該束部３３が回転することにより束部３３に対して上下に移動可能に設けられて前記レール部１５に係止される可動板３４とを備えていることを特徴とする。
【０００５】
請求項１の発明によれば、レール部１５内から支持部１３の上面に束部３３を貫通させ、レール部１５に可動板３４を係止させることによって本発明の高さ調整具３１を設置面Ｇ上に設置し、その後、束部３３を回転させることによって束部３３に対して可動板３４を上下に移動させることで、可動板３４に係止されたレール部１５を介して支持部１３が上下に移動する。これに伴って、支持部１３上に設置する床板材１の高さを調整することができる。このように、簡単な操作で支持部１３及び床板材１の高さを容易に調整することが可能となる。
また、従来のように碁盤目状に設置された床高調整部材の上面で、直接、複数の床板材を支持するのではなく、本発明の高さ調整具３１によって高さが調整された支持部１３上に複数の床板材１が設置されており、支持部１３によって、複数の床板材１はその長手方向と直交する方向において一体となって支持されていることから、床板材１を確実かつ強固に設置することができる。さらに、本発明の高さ調整具３１は、支持部１３のレール部１５内から上面に束部３３が貫通されるとともにレール部１５に可動板３４が係止しているため、従来に比して高さ調整具３１を設置面Ｇ上に強固に設置することができる。しかも、ビス等で固定する必要もないことから、外観面においても優れる。
【０００６】
請求項２の発明は、例えば、図１〜図４に示すように、請求項１に記載の床板材１の高さ調整具３１において、
前記束部３３の上端面には、該束部３３を回転させるための工具が係合する係合穴３３bが形成されていることを特徴とする。
【０００７】
請求項２の発明によれば、束部３３の上端面に形成された係合穴３３bに工具を係合させて束部３３を回転させることにより、容易に可動板３４を上下に移動させることができ、これにより可動板３４に係止したレール部１５が上下に移動し、さらには床板材１の高さ調整を行うことができる。
【０００８】
請求項３の発明は、例えば、図１〜図４に示すように、請求項１又は２に記載の床板材１の高さ調整具３１において、
前記可動板３４の上面には、弾性部材３４１が設けられていることを特徴とする。
【０００９】
請求項３の発明によれば、可動板３４の上面に弾性部材３４１が設けられているので、この弾性部材３４１によりレール部１５との隙間が埋められてレール部１５に密着することによって、ビス等を使用することなくレール部１５に係止させることで支持部１３を確実に支持することができる。
【００１０】
請求項４の発明は、例えば、図１〜図４に示すように、請求項１〜３のいずれか一項に記載の床板材１の高さ調整具３１において、
前記下板３２の下面には、弾性部材３２１が設けられていることを特徴とする。
【００１１】
請求項４の発明によれば、下板３２の下面に弾性部材３２１が設けられているので、この弾性部材３２１によって設置面Ｇと密着させることができ、設置面Ｇ上に確実に設置することができる。
【００１２】
請求項５の発明は、例えば、図１〜図４に示すように、請求項１〜４のいずれか一項に記載の床板材１の高さ調整具３１において、
前記レール部１５内から前記支持部１３の上面に貫通する束部３３の周囲に粘着材が設けられることを特徴とする。
【００１３】
請求項５の発明によれば、レール部１５内から支持部１３の上面に貫通する束部３３の周囲には、粘着材が設けられるので、この粘着材によって支持部１３から束部３３が抜け出すことを防止することができる。
【発明の効果】
【００１４】
本発明に係る床板材の高さ調整具によれば、レール部内から支持部の上面に束部を貫通させ、レール部に可動板を係止させた後、束部を回転させることによって可動板を上下に移動させることで、支持部及び支持部上に設置する床板材の高さを調整することができる。このように、簡単な操作で支持部及び床板材の高さを容易に調整することが可能となる。
また、従来に比して、床板材を確実かつ強固に設置することができ、しかも、従来のようにビス等で固定する必要もないことから外観にも優れる。
【発明を実施するための最良の形態】
【００１５】
以下、本発明の実施の形態について図１〜図４を参照して説明する。
図１は、根太上に床板材を設置する手順を示す斜視図、図２は、地盤上に高さ調整具が設置され根太上に床板材が設置された状態を示す正断面図、図３は、図２における側断面図、図４(a)は高さ調整具の平断面図、(b)は正断面図である。
図１に示すように、本発明に係る床板材１の高さ調整具３１は、地盤（設置面）Ｇと、該地盤Ｇの上方に水平方向に沿って延在する根太（支持部）１３との間に設けられて、根太１３上に並設支持された複数の床板材１の高さを調整するものである。
【００１６】
根太１３は、アルミニウム製の長尺な筒状部材であって、その下端部は、水平方向に沿って延在し互いに対向して立設されて、各下端部が内側に屈曲する略Ｌ字型の係止部１５aを有するレール部１５が設けられている。すなわち、レール部１５において、先端側の幅（係止部１５aの先端部間の幅）は、内部側の幅（両係止部１５aの略中央部間の幅）に比べて小さくなっている。
また、根太１３には、後述する高さ調整具３１の束部３３がレール部１５内から根太１３の上面に貫通する貫通孔１３a（図３のみ図示）が形成されている。
そして、地盤Ｇとこのような根太１３との間でレール部１５に係止するように本発明に係る高さ調整具３１が設けられている。
【００１７】
高さ調整具３１は、図２〜図４に示すように地盤Ｇ上に設けられる下板３２と、該下板３２上に立設されて根太３を上下に貫通する貫通穴１３a（図３のみ図示）に挿入される束部３３と、該束部３３が回転することにより束部３３に対して上下に移動可能に設けられて、レール部５に係止される可動板３４とを備えている。
【００１８】
下板３２は、上面視略矩形状の板状部材であって、その下面に地盤Ｇに密着する弾性部材３２１が設けられている。この弾性部材３２１には例えば硬質ゴム等が挙げられ、地盤Ｇに粘着する粘着剤が塗布されている。そして、このような下板３２の上面略中央に略垂直となるように束部３３が立設されている。
【００１９】
束部３３は、周囲にネジ部３３aが切られた棒状部材であって、その上端面には六角レンチが係合する上面視略六角形状の係合穴３３bが形成されている。また、束部３３は下板３２に溶接により固定されている。そして、束部３３のネジ部３３aには可動板３４が上下に移動可能に螺合している。
【００２０】
可動板３４は、上面視略矩形状の板状部材であって、その略中央に該可動板３４を貫通する束部３３のネジ部３３aに螺合する螺合穴３４aが形成されている。また、可動板３４の上面にはレール部５に密着する弾性部材３４１が設けられている。この弾性部材３４１には前記と同様に例えば硬質ゴム等が挙げられ、レール部１５に係合した際にレール部１５内に粘着する粘着剤（図示略）が塗布されている。
【００２１】
一方、床板材１は、例えばデッキ材として使用されるものであって、セルロース系微粉粒と樹脂とを混合し、この混合材料を溶融させて押出成形することにより形成された帯板状をなす板材２と、該板材２の押出方向に延在し、該板材２の幅方向に所定間隔で形成された６つの空洞部３とを備えている。
これら６つの空洞部３のうち、左右両端に位置する空洞部３aはその両側内壁面のうち、外側の内壁面は中央側に向けて湾曲する凹部を有し、内側の内壁面は中央側に凸となる凸部を有している。また、これら左右両端に位置する空洞部３aに隣接する空洞部３bは正断面視略ひょうたん状で、さらに中央に位置する空洞部３cは正断面視略矩形状で、その両側内壁面のうち、外側の内壁面は板材の端部側に向けて突出する凸部を有している。また、これら空洞部３cの大きさは、６つの空洞部３の中で最も大きい。
【００２２】
ここで、正断面視略ひょうたん状の空洞部３bは、板材２を止着するための止着材であるビスＢが挿通される挿通部４とされている（なお、本実施の形態では挿通部４に止着材が挿通されていない場合とする）。
挿通部４の両側内壁面には、該挿通部４の幅がビスＢの挿通する方向に向かって小さくなるように傾斜する傾斜部５と、これら傾斜部５の先端にそれぞれ形成されてビスＢが挿通することによってビスＢが固定される固定部６とが設けられている。
具体的に、固定部６は、挿通部４を形成する一方の内壁面に設けられた傾斜部５の先端部と、他方の内壁面に設けられた傾斜部５の先端部とから構成され、これら両先端部５間の間隔ｄがビスＢの径よりも小さくなっている。
また、板材２の表面近傍における挿通部４の幅Ｄは、ビスＢの径よりも大きく形成されている。
【００２３】
さらに、板材２の裏面（図２における板材２の下面）には、板材２の押出成形の際に形成された押出方向に沿う複数の小溝７が形成されている（図面の関係上、図２のみに記載した）。なお、板材２の表面（図２における板材２の上面）は略平坦な面となっている。
【００２４】
さらに、板材２の左右側面には、板材２の押出方向に沿って内側に窪む長尺な溝部８が形成されている。この溝部８は、左右に隣接して設置される床板材１どうしを互いに連結するためのレールブラケット２１が嵌め込まれるようになっている。
【００２５】
このレールブラケット２１は、根太１３上に載置されて床板材１の長手方向に沿って長尺なレール状部材であり、両床板材１の下面と根太１３の上面との間に挿入される下部係止片２２と、該下部係止片２２の上面に立設されて両床板材１の側面間に配置される連結部２３と、該連結部２３の上端に設けられて両床板材１の各溝部８にそれぞれ嵌め込まれる突出部２５を有する上部係止片２４とを備えている。すなわち、２つの互いに対向する下部係止片２２と上部係止片２４との間に、各係止片２２、２４に直交するように連結部２３が設けられている。
そして、下部係止片２２は根太１３に、連結部２３は一方の床板材１の側面にビスＢ等の止着材によりそれぞれ固定されるようになっている。
【００２６】
次に、上述の床板材１の高さ調整具を使用して、根太１３上に設置した複数の床板材１の高さを調整する方法について、床板材１の施工手順とともに説明する。
まず、地盤Ｇに複数の高さ調整具３１を前後左右に所定間隔で設置する。次いで、水平方向（横方向）に並んでいる高さ調整具３１に根太１３を水平となるようにそれぞれ設置する。ここで、根太１３のレール部１５内から根太１３の上面に束部３３を貫通させるとともに、レール部１５に可動板３４を係止させて地盤Ｇ上に高さ調整具３１を設置する。なお、根太１３には束部３３を貫通させる貫通穴１３a（図３のみ図示）が所定間隔に予め形成されているものとする。
このようにして設置した高さ調整具３１は、束部３３の上端面の係合穴３３bに六角レンチ等の工具を係合させて所定の高さとなるように束部３３を回転させることにより可動板を上下に移動させる。
【００２７】
次に、根太１３上に以下のようにして複数の床板材１を設置する。まず、端部の床板材１を根太１３上に該根太１３に対して直交する方向に載置する。次に、レールブラケット２１を根太１３上において、その下部係止片２２を根太１３の上面と床板材１の下面との間に挿入するとともに、一方の突出部２５を床板材１の溝部８内に嵌め込んで、側面にビスＢを打ち込んで止着する。さらに、下部係止片２２から根太１３にもビスＢを打ち込んで止着する。
次に、この端部の床板材１に隣接して、各側面どうしが対向するように次の床板材１を根太１３上に載置する。この際に、上述のように予め根太１３に取り付けたレールブラケット２１の下部係止片２２上に載置するとともに、もう一方の突出部２５に前記次の床板材１の溝部８を嵌め込む。
これにより、両床板材１間に連結部２３の幅と略等しい間隔の目地Ｍが形成される。
【００２８】
続いて、根太１３上にレールブラケット２１を同様の方法で載置した前記床板材１に止着し、さらに次の床板材１を根太１３上に設置し、この作業を順次繰り返していく。
【００２９】
なお、端部の床板材１は、図２に示すように上述の連結用レールブラケット２１と形状の異なる端部用レールブラケット２１Ａによって根太１３の縁部に取り付けられる。また、その他に図示しないが、端部の床板材１の挿通部４にビスＢを挿通させて止着しても良い。
【００３０】
以上、本発明の実施の形態によれば、レール部１５内から根太１３の上面に束部３３を貫通させ、レール部１５に可動板３４を係止させることによって高さ調整具３１を地盤Ｇ上に設置し、その後、束部３３を回転させることによって可動板３４を上下に移動させることで、可動板３４に係止されたレール部１５を介して根太１３が上下に移動する。これに伴って、根太１３上に設置する床板材１の高さを調整することができる。このように、簡単な操作で根太１３及び床板材１の高さを容易に調整することが可能となる。
また、従来と異なり、高さ調整具３１によって高さが調整された根太１３の上面で複数の床板材１を支持しており、複数の床板材１がその長手方向と直交する方向において一体となって支持されていることから、床板材１を確実かつ強固に設置することができる。
さらに、本発明の高さ調整具３１は、レール部１５内から上面に束部３３が貫通されるとともにレール部１５に可動板３４が係止しているため、高さ調整具３１を設置面Ｇ上に強固に設置することができる。しかも、ビス等で固定する必要もないことから、外観面においても優れる。
【００３１】
また、本発明では、根太１３に貫通孔１３aを設けて、この貫通孔１３aを介してレール部１５内から根太１３の上面に束部３３を貫通させているため、少ないスペース中で根太１３の高さ調整を行うことが可能となる。
そして、貫通孔１３aは根太１３の上面にまで貫通しており、根太１３の上面には隣接する床板材１どうしを連結するレールブラケット２１が設置されているので、図２に示すようにレールブラケット２１の下板２２の厚み分まで束部３３を上げることができる。よって、高さ調整具３１による高さ調整の幅を増すことができる。
【００３２】
また、束部３３の係合穴３３bに六角レンチ等の工具を係合させて束部３３を回転させることにより、容易に可動板３４を上下に移動させることができ、施工が簡単である。
また、可動板３４の上面、下板３２の下面にそれぞれ弾性部材３２１、３４１が設けられているので、弾性部材３２１によって根太１３を確実に支持でき、弾性部材３４１によって地盤Ｇ上に高さ調整具３１を確実に設置できる。
さらに、レール部１５内から支持部１３の上面に貫通する束部３３の周囲には、粘着材が設けられるので、根太１３から束部３３が抜け出すことを防止することができる。
【００３３】
なお、本発明は上記実施の形態に限定されるものではなく、その要旨を逸脱しない範囲で適宜変更可能なものとする。
例えば、上記実施の形態において、束部３３の上端面に形成された係合穴３３bは、六角レンチが係合するように上面視略六角形状であるとしたが、その他の工具で束部３３を回転させる場合にはその工具の形状に合わせて適宜変更するものとする。具体的には、ドライバー等が係合するように上断面視がマイナスやプラスとなる形状であっても良い。
また、根太１３の形状は上述したものに限らず、例えば図５に示すように、根太１３Ａの上端部にもレール部１５Ａが形成されたものであっても構わない。この場合、隣接する床板材１どうしの連結に関してレールブラケット２１に限らず、根太３１の上端部に形成されたレール部１５Ａに係合させるとともに、両床板材１の各溝部８に嵌め込むような構成をなしたブラケット（図示略）で連結することができる。なお、図５では、上述のレールブラケット２１で連結した場合を示しており、上記実施の形態と同様の構成部分については同様の符号を付している。
さらに、床板材１の形状は上記形状に限らず、空洞３の形状等適宜変更しても良い。
【００３４】
また、上記実施の形態における根太１３には、貫通孔１３aが形成されているとしたが、この貫通孔１３aの大きさは、束部３３の径より大きくしても良いし、束部３３の径と略同じ大きさとしても良いし、さらには貫通孔１３aにネジ加工を施しても良い。特に、束部３３の径と略同じ大きさや、ネジ加工した場合には、束部３３のがたつきが少なくなるという効果が得られる。なお、束部３３の径と略同じ大きさやネジ加工した場合、出荷時にレール部１５に形成した貫通孔１３aに束部３３を貫通させた状態にしておけば、施工時に上（根太１３の上面に形成された貫通孔１３a）から工具を差し込むことによって、すぐ下に束部３３の頭部が位置しているため位置合わせも簡単である。
【図面の簡単な説明】
【００３５】
【図１】本発明の実施の形態を示すためのもので、根太上に床板材を設置する手順を示す斜視図である。
【図２】同、地盤上に高さ調整具が設置され、根太上に床板材が設置された状態を示す正断面図である。
【図３】同、地盤上に高さ調整具が設置され、根太上に床板材が設置された状態を示す側断面図である。
【図４】同、(a)は床板材の高さ調整具の平断面図、(b)は正断面図である。
【図５】本発明の実施の形態においてその他の変形例を示すためのもので、地盤上に高さ調整具が設置され、根太上に床板材が設置された状態を示す側断面図である。
【符号の説明】
【００３６】
１  床板材
１３  根太（支持部）
１５  レール部
３１  高さ調整具
３２  下板
３３  束部
３３b  係合穴
３４  可動板
３２１、３４１  弾性部材
Ｇ  地盤（設置面）
【図１】
2005282224.tif 000003
【図２】
2005282224.tif 000004
【図３】
2005282224.tif 000005
【図４】
2005282224.tif 000006
【図５】
2005282224.tif 000007